(57)【要約】【課題】  ニードルの最大リフト時に、ニードルをストッパに衝突させることなく停止させて、インジェクタの信頼性を高める。【解決手段】  ノズル室３に高圧燃料を導く燃料導入路１１は、ニードル摺動軸部８に傾斜して設けられ、燃料導入路１１の下側開口端は、ニードル摺動軸部８の外周面において開口する摺動部開口端を備える。この摺動部開口端は、ニードル１０のリフト時にノズル摺動孔５と重なることで塞がれる。これにより、インジェクタは、ニードル１０の許容リフトの手前において、燃料導入路１１が極めて絞られる。このため、ニードル１０の上昇時に、「圧力制御室１の圧力とスプリング２８による閉弁力」と、「ノズル室３の圧力による開弁力」との釣り合いが生じることで、ニードル１０の上昇が停止し、最大リフトで衝突が生じず、信頼性を高めることができる。【選択図】  図１
2010236369.tif 000002
【特許請求の範囲】
【請求項１】
高圧燃料が供給される圧力制御室（１）の燃料圧力を制御する電動弁（２）と、
内部に高圧燃料が供給されるノズル室（３）を有する噴射ノズル（４）とを具備し、
前記ノズル室（３）の圧力に対して前記圧力制御室（１）の圧力を変化させることで燃料の噴射と停止の切り替えが行なわれるインジェクタにおいて、
前記噴射ノズル（４）は、
内部に軸方向に沿うノズル摺動孔（５）を有するとともに、先端部に燃料噴射用の噴孔（６）を有するノズルボディ（７）と、
前記ノズル摺動孔（５）によって軸方向に摺動自在に支持されるニードル摺動軸部（８）を有するとともに、先端部に前記噴孔（６）を開閉する弁部（９）を有するニードル（１０）とを備え、
前記ノズル摺動孔（５）より前記噴孔（６）側の前記ノズルボディ（７）と前記ニードル（１０）との間に前記ノズル室（３）が設けられるものであり、
前記ノズル室（３）に高圧燃料を供給する燃料導入路（１１）は、前記ニードル（１０）の開弁側への移動に伴って閉塞されることを特徴とするインジェクタ。
【請求項２】
請求項１に記載のインジェクタにおいて、
前記ニードル（１０）は、前記圧力制御室（１）の圧力を直接受けるピストン（２５）と一体に設けられる、あるいは結合手段（２６）によって前記ピストン（２５）と一体化して設けられるとともに、
前記ピストン（２５）が挿通されるシリンダ孔（２２）の内部に高圧燃料が供給されるものであり、
前記シリンダ孔（２２）の内部に供給された高圧燃料が、前記燃料導入路（１１）を介して前記ノズル室（３）へ導かれることを特徴とするインジェクタ。
【請求項３】
請求項２に記載のインジェクタにおいて、
前記燃料導入路（１１）は、前記ニードル摺動軸部（８）に設けられ、
前記シリンダ孔（２２）の内部に供給された高圧燃料が、前記ニードル摺動軸部（８）に設けられた前記燃料導入路（１１）を介して前記ノズル室（３）に供給されることを特徴とするインジェクタ。
【請求項４】
請求項２または請求項３に記載のインジェクタにおいて、
前記シリンダ孔（２２）の内部には、前記ピストン（２５）を摺動自在に支持する摺動スリーブ（２７）が配置され、この摺動スリーブ（２７）の内側に前記圧力制御室（１）が形成されるものであり、
前記シリンダ孔（２２）の内部に供給された高圧燃料が、前記摺動スリーブ（２７）に形成された入口オリフィス（３０）を介して前記圧力制御室（１）に導かれることを特徴とするインジェクタ。
【請求項５】
請求項１〜請求項４のいずれかに記載のインジェクタにおいて、
前記燃料導入路（１１）の内部には、流路面積を絞るノズル絞り（１１ａ）が設けられていることを特徴とするインジェクタ。
【発明の詳細な説明】
【技術分野】
【０００１】
本発明は、高圧燃料が供給される圧力制御室の燃料圧力を制御して燃料噴射をコントロールするインジェクタに関するものであり、特に噴孔を開閉するニードルが最大リフトに達する際の技術に関する。
【背景技術】
【０００２】
（従来の技術）
従来より、コモンレール等に蓄圧された高圧燃料をインジェクタからディーゼル機関に噴射する蓄圧式燃料噴射装置が知られている。
この蓄圧式燃料噴射装置に用いられるインジェクタは、コモンレールに蓄圧された高圧燃料が入口側燃料通路（通路途中に入口オリフィスを備える）を介して供給される圧力制御室と、この圧力制御室と低圧側とを連通させる出口側燃料通路（通路途中に出口オリフィスを備える）を開閉する電磁弁（電動弁の一例）とを備える（例えば、特許文献１参照）。
【０００３】
インジェクタは、ニードルとノズルボディからなる噴射ノズルを備える。ニードルとノズルボディの間に形成されるノズル室には、燃料導入路を介してコモンレールに蓄圧された高圧燃料が供給される。
インジェクタは、圧力制御室の圧力をニードルに付与するピストンを備えるものであり、圧力制御室の圧力はピストンを介してニードルに与えられる。
インジェクタは、ニードルに対して閉弁方向の力を付与するスプリングが設けられている。このスプリングは、例えばピストンに閉弁力を与えるものであり、スプリングの閉弁力がピストンを介してニードルに与えられる。
【０００４】
噴射開始時の作動は、電磁弁が出口側燃料通路を開いて圧力制御室の圧力を低下させる。すると、ノズル室の圧力が圧力制御室の圧力に対して相対的に上昇し、その圧力差による開弁力がスプリングの付勢力（具体的には、スプリングによる閉弁力と、ニードルのシート径の受圧面積差による閉弁力との合力）に打ち勝つことでニードルが上昇して、燃料噴射が実行される。
噴射停止時の作動は、電磁弁により出口側燃料通路を閉じて圧力制御室の圧力を上昇させる。すると、圧力制御室とノズル室の圧力差が小さくなる。その結果、圧力差によるニードルのリフト力が低下し、スプリングの付勢力によりニードルが下降して、燃料噴射が停止される。
【０００５】
（従来技術の問題点）
インジェクタの噴孔から大量の燃料を噴射させるには、長時間のノズル開弁が必要となる。この長時間のノズル開弁のためには、長時間に亘ってニードルをリフトさせる必要がある。
このように、長時間に亘ってニードルをリフトさせる場合、ニードルをスプリングが許容できるリフト内で停止させないと、ニードルは際限なくリフトを続けるため、ニードルのリフトをストップさせる機構が必要となる。
【０００６】
ニードルのリフトをストップさせる機構として、既存の技術では、ニードルが所定量リフトした際にニードルと機械的に当接するストッパを設け、ニードルをストッパに当接させることでニードルの最大リフト量を規制していた。
しかしながら、ニードルのリフト中にストッパに当接させてニードルのリフトを停止させようとすると、ニードルとストッパとの当接面には非常に大きな面圧や衝撃が加わる不具合がある。
【先行技術文献】
【特許文献】
【０００７】
【特許文献１】特表２００３−５２９７１８号公報
【発明の概要】
【発明が解決しようとする課題】
【０００８】
本発明は、上記問題点に鑑みてなされたものであり、その目的は、ニードルの最大リフト時にニードルをストッパに当接させることなく停止させて信頼性を高めることのできるインジェクタの提供にある。
【課題を解決するための手段】
【０００９】
［請求項１の手段］
請求項１の手段を採用するインジェクタは、ノズル室の圧力に対して圧力制御室の圧力を変化させることで燃料の噴射と停止の切り替えが行なわれるものであり、ノズル室に高圧燃料を供給する燃料導入路は、ニードルが開弁側へ移動するのに伴って閉塞されるように設けられている。具体的には、ニードルの許容リフトの手前で燃料導入路の通路面積を極めて縮小させる構造を採用するものである。
【００１０】
このように、ノズル室に高圧燃料を供給する燃料導入路が、ニードルが開弁側へ移動するに従って閉塞されることにより、噴孔からの燃料噴射によりノズル室の圧力が下がる。これにより、ニードルに作用する開弁力（リフト力）が低下して、その開弁力と、ニードルに加わる閉弁力（スプリングによる付勢力や、圧力制御室の圧力による閉弁力）とが釣り合うことで、ニードルの上昇を停止させることができる。
このように、ニードルとストッパとの当接を行なうことなくニードルのリフトを停止させることができるため、ニードルとストッパの機械的な当接が生じない。この結果、ニードルとストッパの当接面の摩耗、および衝突による割れ等が生じず、インジェクタの信頼性を高めることができる。
【００１１】
［請求項２の手段］
請求項２の手段を採用するインジェクタのニードルは、圧力制御室の圧力を直接受けるピストンと一体に設けられる、あるいは結合手段（ジョイント等）によってピストンと一体化して設けられる。また、ピストンが挿通されるシリンダ孔の内部には、高圧燃料が供給される。そして、シリンダ孔の内部に供給された高圧燃料が、燃料導入路を介してノズル室へ導かれる。
このように、ピストンが挿通されるシリンダ孔が、噴射ノズルへ高圧燃料を供給する通路として利用されるため、インジェクタのボディ（ロアボディ等）に、噴射ノズルへ高圧燃料を供給する専用の燃料通路を設ける必要がなく、インジェクタの製造コストを抑えることができる。あるいは、噴射ノズルへ高圧燃料を供給する専用の燃料通路を廃止できることで、インジェクタのボディ（ロアボディ等）の外径を小径化することが可能になり、インジェクタの小径化が可能になる。
【００１２】
［請求項３の手段］
請求項３の手段を採用するインジェクタの燃料導入路は、ニードル摺動軸部に設けられ、シリンダ孔の内部に供給された高圧燃料が、ニードル摺動軸部に設けられた燃料導入路を介してノズル室に供給される。
このように、ニードル摺動軸部に燃料導入路が形成されるため、ノズルボディに燃料導入路を設ける必要がなく、ノズルボディの外径を小径化することが可能になり、インジェクタの小径化が可能になる。
【００１３】
［請求項４の手段］
請求項４の手段を採用するインジェクタは、シリンダ孔の内部にピストンを摺動自在に支持する摺動スリーブが配置される。この摺動スリーブの内側に圧力制御室が形成される。そして、シリンダ孔の内部に供給された高圧燃料は、摺動スリーブに形成された入口オリフィスを介して圧力制御室に導かれる。
このように、ピストンが挿通されるシリンダ孔が、入口オリフィスを介して圧力制御室へ高圧燃料を供給する通路として利用されるため、インジェクタのボディ（ロアボディ等）に、入口オリフィスを介して圧力制御室へ高圧燃料を供給する専用の燃料通路を設ける必要がなく、インジェクタの製造コストを抑えることができる。あるいは、入口オリフィスを介して圧力制御室へ高圧燃料を供給する専用の燃料通路を廃止できることで、インジェクタのボディ（ロアボディ等）の外径を小径化することが可能になり、インジェクタの小径化が可能になる。
【００１４】
［請求項５の手段］
請求項５の手段を採用するインジェクタは、燃料導入路の内部に、流路面積を絞るノズル絞りが設けられている。
【図面の簡単な説明】
【００１５】
【図１】インジェクタの断面図である（実施例１）。
【図２】噴射ノズルの断面図である（実施例１）。
【発明を実施するための形態】
【００１６】
図１、図２を参照して［発明を実施するための形態］を説明する。なお、以下（実施例を含む）では、図１の図示上側を上、図示下側を下として説明するが、この上下は説明のための一例であって限定されるものではない。
インジェクタは、高圧燃料が供給される圧力制御室１の燃料圧力を制御する電磁弁２（電動弁の一例）と、高圧燃料が供給されるノズル室３を有する噴射ノズル４とを具備し、ノズル室３の圧力に対して圧力制御室１の圧力を変化させることで燃料の噴射と停止の切り替えが行なわれるものである。
【００１７】
噴射ノズル４は、ノズル摺動孔５および噴孔６を有するノズルボディ７と、ニードル摺動軸部８および弁部９を有するニードル１０とを備え、ノズル摺動孔５より噴孔６側のノズルボディ７とニードル１０との間にノズル室３が設けられる。
そして、ノズル室３に高圧燃料を供給する燃料導入路１１は、ニードル１０の開弁側への移動に伴って閉塞されるものである。具体的にインジェクタは、ニードル１０の許容リフトの手前において、燃料導入路１１の通路面積を極めて縮小させる構造を採用するものである。
【実施例１】
【００１８】
次に、本発明をコモンレール（蓄圧）式燃料噴射装置のインジェクタに適用した実施例１を、図１、図２を参照して説明する。なお、この実施例１において、上記［発明を実施するための形態］と同一符号は、同一機能物を示すものである。
【００１９】
（インジェクタの構成）
インジェクタは、例えばディーゼルエンジン用のコモンレール式燃料噴射装置に用いられ、図示しないコモンレールから供給される高圧燃料（例えば、１６０Ｍｐａ以上の超高圧燃料）をエンジンの気筒内に噴射するものであり、高圧燃料が供給される圧力制御室１の燃料圧力を制御する電磁弁２、および高圧燃料が供給されるノズル室３を備え、このノズル室３に対する圧力制御室１の燃料圧力を電磁弁２によって制御することで、燃料の噴射と停止を行なうものである。
【００２０】
具体的に、インジェクタは、ロアボディ２１（ノズルホルダ）の上側に電磁弁２を締結するとともに、ロアボディ２１の下側に噴射ノズル４を締結する構造を採用する。
ロアボディ２１の内部には、上下方向に延びるシリンダ孔２２、コモンレールから供給された高圧燃料をシリンダ孔２２の上下方向の略中間部に導く高圧燃料通路２３、および低圧側に連通する低圧燃料通路２４等が形成されている。
【００２１】
シリンダ孔２２は、上下方向に延びるピストン２５を内側に挿入配置するものであり、シリンダ孔２２とピストン２５の間は、高圧燃料通路２３から供給された高圧燃料をシリンダ孔２２の上端および下端へ導く燃料通路として用いられる。
ピストン２５は、ニードル１０とジョイント２６（結合手段の一例）により一体化されるものである。そして、一体化されたピストン／ニードル（ピストン２５＋ニードル１０）は、ピストン２５の上部に設けられた１箇所の摺動支持構造と、ニードル１０に設けられた１箇所の摺動支持構造とにより、上下方向に摺動自在に支持される。
【００２２】
ピストン２５の上部の摺動支持構造について説明する。なお、ニードル１０の摺動支持構造については後述する。
ピストン２５の上部は、シリンダ孔２２の上部に配置される摺動スリーブ２７の内周面によって摺動自在に支持される。
この摺動スリーブ２７は、ピストン２５の中間外周部に装着されたスプリング２８の付勢力により、シリンダ孔２２の上部に装着された弁座プレート２９の下面に常に当接した状態で配置される。
【００２３】
摺動スリーブ２７は、シリンダ孔２２の内部に装着された円筒体であり、摺動スリーブ２７の下側内周面には、ピストン２５を摺動自在に支持するピストンガイド孔２７ａが形成されている。
なお、ピストン２５においてピストンガイド孔２７ａに摺接する部分には、ピストンガイド孔２７ａにより摺動支持されるピストン摺動部２５ａが設けられている。そして、ピストンガイド孔２７ａとピストン摺動部２５ａの摺動クリアランスは、シール機能を果たすように小さく設けられている。
【００２４】
ここで、上述した圧力制御室１は、ピストン２５の上端、弁座プレート２９、摺動スリーブ２７で囲まれる空間により形成されるものであり、ピストン２５の上下移動に応じて容積が変化する。
摺動スリーブ２７には、高圧燃料通路２３からシリンダ孔２２の上側に供給された高圧燃料の一部を、圧力制御室１に導く手段（入口側燃料通路）が設けられている。
具体的に、摺動スリーブ２７の外周面は、シリンダ孔２２の内周面より少し小径に設けられており、シリンダ孔２２と摺動スリーブ２７の間には、高圧燃料通路２３からシリンダ孔２２の内部に供給された高圧燃料が導入されるように設けられている。
【００２５】
摺動スリーブ２７の上側には、内外を貫通した入口オリフィス３０が形成されている。この入口オリフィス３０は、摺動スリーブ２７の外周に供給された高圧燃料を絞って圧力制御室１に供給するものである。
なお、摺動スリーブ２７の上側内周面は、上述したピストンガイド孔２７ａより少し大径に設けられ、摺動スリーブ２７の上側に配置されるピストン２５の上端部の外周面と、摺動スリーブ２７との間に、圧力制御室１に通じる環状通路を形成している。
【００２６】
スプリング２８は、ピストン２５と摺動スリーブ２７との間に介在されて、ピストン２５を介してニードル１０に閉弁力（下方に向かう付勢力）を与えるバネ手段である。
具体的に、スプリング２８は、ピストン２５の中間外周部に装着された圧縮コイルバネである。ピストン２５には、下側が大径となる段差部が形成されており、その段差部にバネ座３１を装着している。そして、スプリング２８は、このバネ座３１と上述した摺動スリーブ２７との間に挟まれて圧縮された状態で配置される。これにより、スプリング２８の復元力によって、ピストン２５を介してニードル１０に下方に向かう閉弁力が付与される。
【００２７】
次に、電磁弁２を説明する。
電磁弁２は、弁座プレート２９に形成された出口側燃料通路を開閉するものであり、通電（ＯＮ）されると弁座プレート２９に形成された出口側燃料通路を開き、通電が停止（ＯＦＦ）されると出口側燃料通路を閉じるものである。
ここで、出口側燃料通路は、上述した圧力制御室１と低圧燃料通路２４とを連通させる通路であり、その内部には出口側燃料通路を絞る出口オリフィス３２が形成されている。ここで、出口オリフィス３２の流路径（内径）は、入口オリフィス３０の流路径（内径）よりも大きく設定されている。なお、「出口オリフィス３２の流路径（内径）」≦「入口オリフィス３０の流路径（内径）」であっても良い。
【００２８】
電磁弁２は、リテーニングナット３３によってロアボディ２１の上部に結合固着されるものであり、通電（ＯＮ）されると電磁力を発生するソレノイド３４と、このソレノイド３４の発生する電磁力によって上方（開弁方向）へ磁気吸引されるバルブ３５と、このバルブ３５を下方（閉弁方向）へ付勢するリターンスプリング３６とを備える。
具体的に、バルブ３５は、弁座プレート２９に形成された出口側燃料通路を開閉するボール弁３５ａを備える。そして、ソレノイド３４がＯＦＦの状態では、リターンスプリング３６の付勢力によってバルブ３５が下方に押し付けられ、ボール弁３５ａが弁座プレート２９の出口側燃料通路を塞ぐ。逆に、ソレノイド３４がＯＮの状態では、リターンスプリング３６の付勢力に抗してバルブ３５が上方に移動し、ボール弁３５ａがリフトして弁座プレート２９の出口側燃料通路を開く。
【００２９】
次に、噴射ノズル４を図２を参照して説明する。
噴射ノズル４は、先端に噴孔６を有するノズルボディ７と、このノズルボディ７の内部に摺動自在に挿入されるニードル１０とから構成され、リテーニングナット４０によりロアボディ２１の下部に締結されている。
【００３０】
ノズルボディ７の内部には、上方に開口したノズル孔が穿設されている。このノズル孔は、上側に設けられた径の大きいノズル摺動孔５と、その下側に設けられたノズル摺動孔５よりやや小径の燃料通路孔４１とからなり、ノズルボディ７の上端の開口周縁部には面取りが施されている。なお、図２では、ノズル摺動孔５と燃料通路孔４１の間に燃料溜４２が形成される例を示す。
燃料通路孔４１は、ノズルボディ７の下端部まで穿設されたものである。また、燃料通路孔４１の下端部には、円錐状の弁座４３が形成されており、その弁座４３の下流側に１つまたは複数の噴孔６が穿設されている。
【００３１】
ノズルボディ７の下端には、下方に突出した頂部（円頂部、円錐頂部等）が形成されており、その頂部の内側には、サック室（サックボリューム）が形成されている。
噴孔６は、頂部の内外を貫通して設けられている。具体的に、噴孔６は、頂部の内壁面（サック室内）から外壁面（エンジンの気筒内に露出する面）まで斜めに貫通して形成されている。
【００３２】
ニードル１０は、上下方向に延びる略円柱の棒形状を呈するものであり、ノズル摺動孔５の内周面に摺動自在に支持されるニードル摺動軸部８と、このニードル摺動軸部８の下部に設けられた小径軸状のシャフト４４とを備える。そして、ニードル摺動軸部８とシャフト４４の段差によって受圧面４５が形成される。また、シャフト４４の下端には、燃料通路孔４１の下端部に形成された弁座４３に着座および離脱して噴孔６を開閉する円錐形状の弁部９が設けられている。
【００３３】
ここで、ニードル１０の上端とピストン２５の下端を結合するジョイント２６について説明する。
ジョイント２６は、ニードル１０の上端に形成されたニードル鍔部５１と、ピストン２５の下端に形成されたピストン鍔部５２とを上下に当接させ、当接させたニードル鍔部５１とピストン鍔部５２にカプラ５３を被せることでニードル１０の上端とピストン２５の下端を結合するものである。
【００３４】
受圧面４５は、ニードル摺動軸部８の下端からテーパ状に縮径して設けられ、燃料溜４２に面して配置される。
シャフト４４は、ニードル摺動軸部８より外径が小さく、燃料溜４２より下側の燃料通路孔４１内に挿通され、燃料通路孔４１との間に燃料通路を形成する。
【００３５】
ニードル摺動軸部８は、ノズル摺動孔５に微小クリアランスを介して摺動自在に支持されるものであり、ニードル摺動軸部８とノズル摺動孔５の摺動クリアランスは、シール機能を果たすように小さく設けられている。
ここで、上述したノズル室３は、ニードル摺動軸部８の下側において、ノズルボディ７とニードル１０とで囲まれる空間により形成される。具体的にノズル室３は、燃料溜４２および燃料通路孔４１と、ニードル１０とで区画される内部空間によって形成される。
【００３６】
噴射ノズル４は、高圧燃料通路２３を介してシリンダ孔２２の下端（ノズル摺動孔５の上端）に供給された高圧燃料をノズル室３に供給する燃料導入路１１を備える。
この燃料導入路１１は、ニードル摺動軸部８に設けられて、ニードル摺動軸部８の上側に供給された高圧燃料をノズル室３に導くものであり、軸方向に対して傾斜した長孔によって設けられている。
【００３７】
ニードル１０の先端の弁部９は、テーパ角の異なる複数の円錐を組み合わせて構成された複数段の円錐であり、その境界部にシート線９ａが形成されている。シート線９ａより上側の広がり角度は、弁座４３の広がり角度より小さいものであり、シート線９ａより下側の広がり角度は、弁座４３の広がり角度より大きいものである。
弁部９が弁座４３に着座する際は、弁部９のシート線９ａが弁座４３に当接してノズル室３と噴孔６との連通を遮断し、弁部９が弁座４３から離座する際は、弁部９のシート線９ａが弁座４３から離れて、ノズル室３と噴孔６とが連通され、高圧燃料が噴孔６から噴射される。
【００３８】
ここで、燃料導入路１１の内部には、燃料導入路１１の流路面積を絞るノズル絞り１１ａが設けられている。このノズル絞り１１ａは、燃料の噴射中におけるノズル室３の圧力を抑えることで、噴射停止時におけるニードル１０の下降を早めて「噴射停止の応答性」を高めるものである。なお、燃料導入路１１の途中にノズル絞り１１ａを形成しないものであっても良い。
【００３９】
燃料導入路１１は、ニードル１０の開弁側への移動に伴って閉塞される構造を採用している。即ち、この実施例１のインジェクタは、ニードル１０の許容リフト（スプリング２８の限界リフト）の手前において、燃料導入路１１の通路面積を極めて縮小させる構造を採用するものである。
【００４０】
次に、ニードル１０の開弁側への移動に伴って、燃料導入路１１が塞がれる構造について説明する。
ノズル室３に高圧燃料を導くための燃料導入路１１は、上述したように、ニードル摺動軸部８に設けられるものであり、軸方向に対して傾斜した直線孔によって設けられている。
燃料導入路１１の下側（ノズル室３に近い側）には、燃料導入路１１内を絞るノズル絞り１１ａ（オリフィス）が形成されている。このため、燃料導入路１１における下側開口端（ノズル室３側の開口端）は、図２に示すように、ノズル絞り１１ａによって小さな開口部となっている。
【００４１】
燃料導入路１１の下側開口端は、図２に示すように、ニードル摺動軸部８の外周面において開口する摺動部開口端１１ｂと、受圧面４５に開口する受圧部開口端１１ｃとからなる。燃料導入路１１におけるノズル室３側の開口の大部分が摺動部開口端１１ｂとして設けられ、僅かな部分が受圧部開口端１１ｃとして設けられている（摺動部開口端１１ｂの開口割合＞受圧部開口端１１ｃの開口割合）。
摺動部開口端１１ｂは、ニードル１０が開弁側へ移動してノズル摺動孔５と軸方向に重なることでノズル摺動孔５によって塞がれるものである。また、受圧部開口端１１ｃは、ニードル１０が大きくリフトしても常にノズル室３内と連通するものである。
【００４２】
さらに具体的に説明すると、燃料導入路１１の下側開口端は、ニードル１０が弁座４３に着座する噴射停止状態の時、図２（ｂ）に示すように、ノズル摺動孔５によって全く塞がれないものである。即ち、ノズル絞り１１ａの通路面積の１００％が、ノズル室３内に連通した状態になっている。
そして、ニードル１０が上昇を開始すると、燃料導入路１１の下側開口端は、ニードル１０の上昇に伴ってノズル摺動孔５によって徐々に閉塞される。
【００４３】
そして、ニードル１０のリフト量が所定リフトに達すると、図２（ａ）に示すように、全ての摺動部開口端１１ｂがノズル摺動孔５により閉塞されて、受圧部開口端１１ｃのみがノズル室３に連通する。
即ち、この実施例１のインジェクタは、ニードル１０が少量リフトした後、さらにニードル１０が上昇するのに伴って燃料導入路１１の通路面積が縮小する構造を採用するものである。
【００４４】
（インジェクタの作動説明）
次に、インジェクタの作動を説明する。
（１）インジェクタの停止中は、電磁弁２の通電が停止されて、バルブ３５が弁座プレート２９に形成された出口側燃料通路を閉じる。これにより、ノズル室３とともに圧力制御室１の圧力が高圧に保たれる。その結果、スプリング２８の付勢力によりニードル１０が弁座４３に押し付けられ、ノズル室３と噴孔６が遮断された状態となり、噴孔６から燃料の噴射は行われない。具体的に、ニードル１０には、スプリング２８の付勢力に加えて、シート線９ａの内側の受圧面積差による閉弁力がニードル１０に生じるものである。
【００４５】
（２）ＥＣＵ（エンジンコントロールユニット）の噴射開始の指示（噴射指令ＯＮ）により、ＥＤＵ（ドライブユニット）から電磁弁２に駆動電流（パルスＯＮ）が与えられると、ソレノイド３４がバルブ３５を磁気吸引する。バルブ３５がリフトアップを開始すると、出口側燃料通路が開き、入口オリフィス３０で燃料の流入が抑制されて圧力制御室１の圧力が低下を開始する。
圧力制御室１の圧力が低下することで、ノズル室３の圧力が圧力制御室１の圧力に対して相対的に上昇し、その圧力差により生じる開弁力（ニードル１０のリフト力）が、「スプリング２８の付勢力」と「シート線９ａの内側の受圧面積差による閉弁力」との「合力」に打ち勝つことで、ニードル１０が上昇を開始する。ニードル１０が弁座４３から離座すると、ノズル室３と噴孔６とが連通し、ノズル室３に供給された高圧燃料が噴孔６から噴射する。
【００４６】
（３）燃料の噴射中（電磁弁２のＯＮ中）は、燃料導入路１１のノズル絞り１１ａを介してノズル室３の内部に燃料が供給（補充）される。
ノズル絞り１１ａによってノズル室３内が減圧され、ニードル摺動軸部８の上面と下面との間に圧力差が発生する。この圧力差は、ニードル１０の開弁力を小さくするものである。
しかるに、ノズル絞り１１ａの絞り率は小さいため、圧力差は少量しか発生せず、ニードル１０は上昇し続ける。
【００４７】
ニードル１０が上昇し、ニードル１０のリフト量が許容リフト（スプリング２８の限界リフト）に近づくに従い、燃料導入路１１の下側開口端とノズル摺動孔５との重なりが増加して、燃料導入路１１の下側開口端の閉塞率が高まる。即ち、ノズル絞り１１ａの下端における開口面積が縮小する。
すると、燃料導入路１１における燃料の流れが減少して、ノズル室３内の減圧度合が高まり、ニードル摺動軸部８の上面と下面との間の圧力差が大きくなる。
【００４８】
この圧力差は、上述したように、ニードル１０の開弁力を小さくするように作用する。このため、ニードル１０の上昇に伴って、ニードル摺動軸部８の上面と下面との間の圧力差が大きくなって開弁力が低下していくと、「圧力制御室１（圧力：小）とノズル室３（圧力：大）の差圧による開弁力」と、「スプリング２８による閉弁力」とが釣り合うことで、ニードル１０の上昇が停止する。
即ち、ニードル１０が上昇し、燃料導入路１１の閉塞率が高まることによる油圧の釣り合いが生じることで、ニードル１０の上昇が停止する。
【００４９】
（４）ＥＣＵの噴射停止の指示（噴射指令ＯＦＦ）により、ＥＤＵから電磁弁２に与えられていた駆動電流が停止（パルスＯＦＦ）されると、ソレノイド３４がバルブ３５の磁気吸引を停止して、バルブ３５が下降を開始する。そして、電磁弁２のバルブ３５が出口側燃料通路を閉じると、圧力制御室１の圧力が上昇を開始する。
圧力制御室１の圧力が上昇することで、上記「油圧の釣り合い」が崩れ、ニードル１０が下降を開始する。そして、ニードル１０が弁座４３に着座すると、ノズル室３と噴孔６の連通が遮断されて、噴孔６からの燃料噴射が停止して、上記（１）の状態に戻る。
【００５０】
（実施例１の効果）
実施例１のインジェクタは、上述したように、ニードル１０が開弁側へ移動するのに伴って燃料導入路１１が閉塞されるように設けられている。このため、燃料の噴射開始後、ニードル１０の上昇に伴って燃料導入路１１の閉塞率が高まる。そして、「圧力制御室１の圧力とスプリング２８による閉弁力」と、「ノズル室３の圧力による開弁力」との釣り合いが生じることで、ニードル１０の上昇が停止する。
このように、ニードル１０を機械的に当接させることなくニードル１０のリフトを停止させることができるため、ニードル１０とストッパの当接面の摩耗、および衝突による割れ等の破損が生じず、インジェクタの信頼性を高めることができる。
【産業上の利用可能性】
【００５１】
上記の実施例では、ピストン２５とニードル１０とをジョイント２６で連結して一体化する例を示したが、ピストン２５とニードル１０とを１つの部材（ピストン／ニードル）で設けても良い。
上記の実施例では、ソレノイド３４による作動によって出口側燃料通路の開閉を行なう電磁弁２を例に示したが、ピエゾアクチュエータなど他の電動アクチュエータにより出口側燃料通路の開閉を行なう他の電動弁を用いても良い。
上記の実施例では、ディーゼルエンジン用のインジェクタに本発明を適用する例を示したが、ガソリンエンジン用のインジェクタなど、他のエンジン形式に用いられるインジェクタに本発明を適用しても良い。
【符号の説明】
【００５２】
１  圧力制御室
２  電磁弁（電動弁）
３  ノズル室
４  噴射ノズル
５  ノズル摺動孔
６  噴孔
７  ノズルボディ
８  ニードル摺動軸部
９  弁部
１０  ニードル
１１  燃料導入路
１１ａ  ノズル絞り
２２  シリンダ孔
２５  ピストン
２６  ジョイント（結合手段）
２７  摺動スリーブ
３０  入口オリフィス
【図１】
2010236369.tif 000003
【図２】
2010236369.tif 000004